(57)【要約】【課題】自分が受信しているＴＶ放送番組を通信相手と容易且つ安価に共有可能な通信システムの提供。【解決手段】第１端末１００の端末制御部８はＴＶ放送受信部２を制御してＥＰＧ情報とユーザにより指定された番組の情報信号とをＴＶ放送受信部２に出力させる。第１端末１００の携帯電話送受信部４は、データ情報のうち指定された番組に関する番組特定情報を発信する。第２端末２００の携帯電話送受信部２４は第１端末１００から発信された番組特定情報を受信する。第２端末２００の端末制御部２８はＴＶ放送受信部２２を制御して第１端末１００から受信した番組特定情報に対応した番組の情報信号をＴＶ放送受信部２２に出力させる。【選択図】  図１
2004343427.tif 000002
【特許請求の範囲】
【請求項１】
放送電波信号を復調して音声信号及び画像信号の少なくとも一方の情報信号と放送番組に関するデータ情報とを出力可能な第１放送受信手段と、前記データ情報とユーザにより指定された番組の情報信号とを前記放送受信手段に出力させる第１放送受信制御手段と、前記データ情報のうち前記指定された番組に関する番組特定情報を発信する第１携帯電話送受信手段と、を有する第１携帯通信端末と、
放送電波信号を復調して音声信号及び画像信号の少なくとも一方の情報信号を出力可能な第２放送受信手段と、前記第１携帯通信端末から発信された前記番組特定情報を受信する第２携帯電話送受信手段と、前記番組特定情報に対応した番組の情報信号を前記第２放送受信手段に出力させる第２放送受信制御手段と、を有する第２携帯通信端末と、を備えたことを特徴とする携帯通信システム。
【請求項２】
請求項１記載の携帯通信システムであって、
前記第２携帯通信端末は、判断手段をさらに有し、
前記第２放送受信手段は、放送電波信号を復調して放送番組に関するデータ情報を出力可能であり、
前記第２放送受信制御手段は、前記データ情報を前記第２放送受信手段に出力させ、
前記判断手段は、前記番組特定情報と前記第２放送受信手段が出力するデータ情報とに基づき、前記第２携帯通信端末によって受信可能な放送番組が前記番組特定情報に対応した番組を含むか否かを判断すると共に、受信可能な放送番組が前記番組特定情報に対応した番組を含むときは当該番組のチャンネル周波数を出力し、
前記第２放送受信制御手段は、受信可能な放送番組が前記番組特定情報に対応した番組を含むと前記判断手段が判断したとき、前記チャンネル周波数の情報信号を前記第２放送受信手段に出力させることを特徴とする携帯通信システム。
【請求項３】
請求項２に記載の携帯通信システムであって、
前記第１携帯通信端末は、第１信号処理手段をさらに有し、
前記第２携帯通信端末は、第２信号処理手段をさらに有し、
前記第１信号処理手段は、受信可能な放送番組が前記番組特定情報に対応した番組を含まないと前記第２携帯通信端末の判断手段が判断したとき、前記第１放送受信手段が出力する番組の情報信号に対応した送信信号を前記第１携帯電話送受信手段へ出力し、
前記第１携帯電話送受信手段は、前記送信信号を発信し、
前記第２携帯電話送受信手段は、前記第１携帯通信端末から発信された前記送信信号を受信して前記第２信号処理手段へ出力し、
前記第２信号処理手段は、前記第１携帯通信端末から発信された送信信号に対応した情報信号を出力することを特徴とする携帯通信システム。
【請求項４】
請求項１記載の携帯通信システムであって、
前記第１携帯通信端末は、判断手段をさらに有し、
前記第２放送受信手段は、放送電波信号を復調して放送番組に関するデータ情報を出力可能であり、
前記第２放送受信制御手段は、前記データ情報を前記第２放送受信手段に出力させ、
前記第２携帯電話送受信手段は、前記第２放送受信手段が出力する前記データ情報を発信し、
前記第１携帯電話送受信手段は、前記第２携帯通信端末から発信された前記データ情報を受信して前記判断手段へ出力し、
前記判断手段は、前記番組特定情報と前記第１携帯電話送受信手段が受信するデータ情報とに基づき、前記第２携帯通信端末によって受信可能な放送番組が前記番組特定情報に対応した番組を含むか否かを判断すると共に、受信可能な放送番組が前記番組特定情報に対応した番組を含むときは当該番組のチャンネル周波数を出力し、
前記第２放送受信制御手段は、受信可能な放送番組が前記番組特定情報に対応した番組を含むと前記判断手段が判断したとき、前記チャンネル周波数の情報信号を前記第２放送受信手段に出力させることを特徴とする携帯通信システム。
【請求項５】
請求項４に記載の携帯通信システムであって、
前記第１携帯通信端末は、第１信号処理手段をさらに有し、
前記第２携帯通信端末は、第２信号処理手段をさらに有し、
前記第１信号処理手段は、受信可能な放送番組が前記番組特定情報に対応した番組を含まないと前記第１携帯通信端末の判断手段が判断したとき、前記第１放送受信手段が出力する番組の情報信号に対応した送信信号を前記第１携帯電話送受信手段へ出力し、
前記第１携帯電話送受信手段は、前記送信信号を発信し、
前記第２携帯電話送受信手段は、前記第１携帯通信端末から発信された前記送信信号を受信して前記第２信号処理手段へ出力し、
前記第２信号処理手段は、前記第１携帯通信端末から発信された送信信号に対応した情報信号を出力することを特徴とする携帯通信システム。
【請求項６】
請求項３又は請求項５に記載の携帯通信システムであって、
前記放送電波信号は、ＴＶ放送電波信号であり、
前記情報信号は、音声信号及び画像信号であり、
前記第１信号処理手段は、第１ＴＶ電話信号処理手段であり、
前記第２信号処理手段は、第２ＴＶ電話信号処理手段であり、
前記送信信号は、前記第１放送受信手段が出力する番組の音声信号及び画像信号に対応したＴＶ電話信号であることを特徴とする携帯通信システム。
【請求項７】
放送電波信号を復調して音声信号及び画像信号の少なくとも一方の情報信号と放送番組に関するデータ情報とを出力可能な放送受信手段と、他の携帯通信端末から発信された番組特定情報を受信する携帯電話送受信手段と、
前記番組特定情報と前記放送受信手段が出力するデータ情報とに基づき、受信可能な放送番組が前記番組特定情報に対応した番組を含むか否かを判断する判断手段と、
受信可能な放送番組が前記番組特定情報に対応した番組を含むと前記判断手段が判断したとき、前記番組特定情報に対応した番組の情報信号を放送受信手段に出力させる放送受信制御手段と、を備えたことを特徴とする携帯通信端末。
【発明の詳細な説明】
【０００１】
【発明の属する技術分野】
本発明は、携帯通信システム及び携帯通信端末に関する。
【０００２】
【従来の技術】
携帯電話機の機能の拡充に伴い、テレビ番組（ＴＶ番組）を視聴可能な携帯電話機が提案されている（例えば、特許文献１参照）。
【０００３】
【特許文献１】
特開２００２−１８５９４３号公報
【０００４】
【発明が解決しようとする課題】
特許文献１の携帯電話機では、ユーザＡが通話相手であるユーザＢと同じＴＶ番組を視聴しながら会話しようとする場合、ユーザＡが受信している番組の映像情報と音声情報とがユーザＡの携帯電話機からユーザＢの携帯電話機へ送信される。このため、両携帯電話機間での通信情報量が過大となり、通信コストの上昇を招く。
【０００５】
これに対し、ユーザＢが独自にユーザＡと同じ番組を受信することができれば、通信コストの上昇を抑えることができる。しかし、この場合、ユーザＡは視聴している番組の情報を言葉でユーザＢに伝え、ユーザＢはその番組の情報に基づいて携帯電話機を操作して選局しなければならず、煩雑である。特に、ユーザＡの放送受信地域とユーザＢの放送受信地域とが異なる場合には、言葉で説明された番組の情報のみから選局を行うことは困難である。
【０００６】
本発明は、このような課題に鑑みてなされたものであり、受信中の放送番組を通信相手と容易且つ安価に共有することが可能な携帯通信システム及び携帯通信端末の提供を目的とする。
【０００７】
【課題を解決するための手段】
本発明に係る携帯通信システムは、第１携帯通信端末と第２携帯通信端末とを備える。第１携帯通信端末は、第１放送受信手段と、第１放送受信制御手段と、第１携帯電話送受信手段と、を有する。第１放送受信手段は、放送電波信号を復調して音声信号及び画像信号の少なくとも一方の情報信号と、放送番組に関するデータ情報と、を出力可能である。第１放送受信制御手段は、第１放送受信手段を制御して、データ情報とユーザにより指定された番組の情報信号とを第１放送受信手段に出力させる。第１携帯電話送受信手段は、データ情報のうち指定された番組に関する番組特定情報を発信する。第２携帯通信端末は、第２放送受信手段と、第２放送受信制御手段と、第２携帯電話送受信手段と、を有する。第２放送受信手段は、放送電波信号を復調して音声信号及び画像信号の少なくとも一方の情報信号を出力可能である。第２携帯電話送受信手段は、第１携帯通信端末から発信された番組特定情報を受信する。第２放送受信制御手段は、第２放送受信手段を制御して、番組特定情報に対応した番組の情報信号を第２放送受信手段に出力させる。
【０００８】
上記構成では、例えば、第１携帯通信端末を使用して放送番組を視聴又は聴いているユーザＡが、第２携帯通信端末を使用するユーザＢと同じ放送番組を共有しながら会話しようとする場合、ユーザＡは、第１携帯通信端末を操作し、第１放送受信手段が出力する放送番組に関するデータ情報のうち指定された番組（視聴又は聴いている番組）に関する番組特定情報を、第１携帯電話送受信手段から発信する。ユーザＢ側では、第２携帯通信端末の第２放送受信手段が、第１携帯通信端末から受信した番組特定情報に対応した番組の情報信号を出力する。すなわち、ユーザＢは、第２携帯通信端末を操作して選局することなく、ユーザＡと同じ番組を独自に受信することができる。従って、ユーザＡは、自分が受信している放送番組を通信相手であるユーザＢと容易且つ安価に共有することができる。
【０００９】
第２携帯通信端末に判断手段を設けても良い。この場合、第２放送受信手段は、放送電波信号を復調して放送番組に関するデータ情報を出力可能であり、第２放送受信制御手段は、データ情報を第２放送受信手段に出力させる。判断手段は、番組特定情報と第２放送受信手段が出力するデータ情報とに基づき、第２携帯通信端末によって受信可能な放送番組が番組特定情報に対応した番組を含むか否かを判断すると共に、受信可能な放送番組が番組特定情報に対応した番組を含むときは、その番組のチャンネル周波数を出力する。第２放送受信制御手段は、受信可能な放送番組が番組特定情報に対応した番組を含むと判断手段が判断したとき、チャンネル周波数の情報信号を第２放送受信手段に出力させる。
【００１０】
また、第１携帯通信端末に判断手段を設けても良い。この場合、第２放送受信手段は、放送電波信号を復調して放送番組に関するデータ情報を出力可能であり、第２放送受信制御手段は、データ情報を第２放送受信手段に出力させる。第２携帯電話送受信手段は、第２放送受信手段が出力するデータ情報を発信する。第１携帯電話送受信手段は、第２携帯通信端末から発信されたデータ情報を受信して判断手段へ出力する。判断手段は、番組特定情報と第１携帯電話送受信手段が受信するデータ情報とに基づき、第２携帯通信端末によって受信可能な放送番組が番組特定情報に対応した番組を含むか否かを判断すると共に、受信可能な放送番組が番組特定情報に対応した番組を含むときはその番組のチャンネル周波数を出力する。第２放送受信制御手段は、受信可能な放送番組が番組特定情報に対応した番組を含むと判断手段が判断したとき、チャンネル周波数の情報信号を第２放送受信手段に出力させる。
【００１１】
上記構成では、第２携帯通信端末又は第１携帯通信端末に設けられた判断手段は、ユーザＢが受信可能な放送番組の中に、ユーザＡが受信している番組と同じ内容の番組が存在するか否かを判断し、存在する場合には、その番組のチャンネル周波数を特定して出力する。第２放送受信手段は、特定されたチャンネル周波数の情報信号を出力する。従って、ユーザＡの放送受信地域とユーザＢの放送受信地域とが異なる場合であっても、ユーザＡとユーザＢとは、同じ放送番組を容易且つ安価に共有することができる。
【００１２】
第１携帯通信端末に第１信号処理手段を、第２携帯通信端末に第２信号処理手段をさらに設けても良い。この場合、第１信号処理手段は、受信可能な放送番組が番組特定情報に対応した番組を含まないと判断手段が判断したとき、第１放送受信手段が出力する番組の情報信号に対応した送信信号を第１携帯電話送受信手段へ出力する。第１携帯電話送受信手段は、送信信号を発信する。第２携帯電話送受信手段は、第１携帯通信端末から発信された送信信号を受信して第２信号処理手段へ出力する。第２信号処理手段は、第１携帯通信端末から発信された送信信号に対応した情報信号を出力する。
【００１３】
上記構成では、判断手段がユーザＢにより受信可能な放送番組の中にユーザＡが受信している番組と同じ内容の番組が存在しないと判断したとき、ユーザＡが受信している番組の情報信号が第１携帯通信端末から第２携帯通信端末へ発信される。従って、放送受信地域の相違からユーザＢがユーザＡと同じ内容の番組を放送電波信号から取得できない場合であっても、ユーザＡとユーザＢとは、同じ放送番組を容易に共有することができる。
【００１４】
【発明の実施の形態】
以下、本発明を適用した具体的な実施の形態について図面を参照しながら詳細に説明する。
【００１５】
［第１の実施の形態］
第１の実施の形態は、それぞれがＴＶ放送受信機能を有する２台の携帯電話機（以下端末と略称する）の間で、同じＴＶ番組を視聴する例である。
【００１６】
図１は、第１端末及び第２端末のブロック構成図である。
【００１７】
まず、第１携帯通信端末としての第１端末１００と第２携帯通信端末としての第２端末２００の基本的な構成を説明する。
【００１８】
図１に示すように、第１端末１００及び第２端末２００は、それぞれＴＶアンテナ１，２１と、ＴＶ放送受信部２，２２と、携帯電話アンテナ３，２３と、携帯電話送受信部４，２４と、ＴＶ電話信号処理部５，２５と、表示出力制御部６，２６と、音声出力制御部７，２７と、端末制御部８，２８と、入力操作部９，２９と、リンガー１０，３０と、表示部１１，３１と、スピーカー１２，３２と、カメラ１３，３３と、マイク１４，３４と、を備えている。第１端末１００では、ＴＶ放送受信部２は第１受信手段として、携帯電話送受信部４は第１携帯電話送受信手段として、ＴＶ電話信号処理部５は第１信号処理手段及び第１ＴＶ電話信号処理手段として、端末制御部８は第１放送受信制御手段として、それぞれ機能する。第２端末２００では、ＴＶ放送受信部２２は第２受信手段として、携帯電話送受信部２４は第２携帯電話送受信手段として、ＴＶ電話信号処理部２５は第２信号処理手段及び第２ＴＶ電話信号処理手段として、端末制御部２８は第２放送受信制御手段及び判断手段として、それぞれ機能する。
【００１９】
次に、ＴＶ放送受信機能に関する第１端末１００及び第２端末２００の構成について説明する。
【００２０】
本実施の形態では、テレビジョン放送の電波として地上デジタル放送を例にとって説明する。第１端末１００及び第２端末２００において、ＴＶアンテナ１，２１は、空中を伝搬するテレビジョン放送の電波（ＴＶ波）を受信する。ＴＶ放送受信部２，２２は、いわゆるチューナとしての機能と復調器としての機能とを有し、所定の周波数チャンネルのテレビジョン放送電波信号（ＴＶ放送電波信号）を受信するように選局する。そして、ＴＶアンテナ１，２１にて受信された信号は、適正なレベルになるようにＡＧＣ（Ａｕｔｏｍａｔｉｃ  Ｇａｉｎ  Ｃｏｎｔｏｒｏｌ）にて増幅及び調整され、ＩＦ周波数に周波数変換される。また、ＴＶ放送受信部２，２２は、受信した信号から不要な電磁波を除くためにフィルタにて帯域制限する。さらに、ＴＶ放送受信部２，２２は、ＩＦ信号をベースバンド信号に変換し、このベースバンド信号から映像信号と音声信号と放送番組に関するデータ情報とを取り出す。データ情報は、例えば文字放送のデータやＥＰＧ（番組ガイド）情報などの放送番組を表す情報である。
【００２１】
表示出力制御部６，２６は、映像信号に基づいたテレビ映像を表示部１１，３１に表示する。音声出力制御部７，２７は、音声信号に基づいたテレビ音声をスピーカー１２，３２から放音する。
【００２２】
入力操作部９，２９は、テレビ番組局の周波数チャンネルの変更をユーザが入力指示するためのスイッチとして機能する。入力操作部９，２９が操作されると、端末制御部８，２８は、それを認識し、選局された番組局の周波数となるようにＴＶ放送受信部２，２２に対して周波数変更指示を行う。入力操作部９，２９は、端末１００，２００のＯＮ／ＯＦＦスイッチとしても機能する。
【００２３】
次に、携帯電話機能に関する第１端末１００及び第２端末２００の構成について説明する。
【００２４】
携帯電話アンテナ３，２３は、受信可能な基地局からの入力信号を受信する。携帯電話送受信部４，２４は、携帯電話アンテナ３，２３が受信した入力信号を復調し、現在地の基地局情報などを出力する。携帯電話送受信部４，２４は、自局情報を出力信号にのせて携帯電話アンテナ３，２３から基地局に向けて送出して位置登録を行う。
【００２５】
待ち受け状態では、携帯電話送受信部４，２４は、自局に対する着信がないかを調べるためのページングチャンネルを継続して携帯電話アンテナ３，２３を介して受信する。自局に対する着信情報が発見されると、携帯電話送受信部４，２４は、端末制御部８，２８へ信号出力し、端末制御部８，２８は、リンガー１０，３０を作動させて着信音を鳴らす等によって、ユーザに着信があることを知らせる。ユーザが着信を認識して入力操作部９，２９に対して着信操作を行なうと、端末制御部８，２８は、携帯電話送受信部４，２４及び音声出力制御部７，２７を制御して、端末１００，２００を通話状態に設定する。
【００２６】
発信のためユーザが発信操作を入力操作部９，２９に対して行なうと、端末制御部８，２８は、携帯電話送受信部４，２４及び音声出力制御部７，２７を制御して、端末１００，２００を通話状態に設定する。
【００２７】
受話時には、携帯電話アンテナ３，２３からの受話信号に基づいて、音声出力制御部７，２７が受話音声をスピーカー１２，３２から放音する。送話時には、マイク１４，３４からの音声信号に基づいて、携帯電話送受信部４，２４が送話信号を携帯電話アンテナ３，２３から発信させる。
【００２８】
ＴＶ電話通話を行う場合は、ユーザは入力操作部９，２９に対してＴＶ電話通話への切換操作を行なう。ＴＶ電話通話時には、端末制御部８，２８は、携帯電話送受信部４，２４及び音声出力制御部７，２７に加えて、ＴＶ電話信号処理部５，２５及び表示出力制御部６，２６を制御する。受話時には、ＴＶ電話信号処理部５，２５は、携帯電話アンテナ３，２３からの受信信号から映像信号及び音声信号を取り出して表示出力制御部６，２６及び音声出力制御部７，２７へそれぞれ送出する。これらの映像信号及び音声信号に基づいて、表示出力制御部６，２６は表示部１１，３１に映像を表示し、音声出力制御部７，２７はスピーカー１２，３２から放音する。送話時には、ＴＶ電話信号処理部５，２５は、カメラ１３，３３からの映像信号とマイク１４，３４からの音声信号とに基づいて送信信号を生成する。携帯電話送受信部４，２４は、この送信信号を携帯電話アンテナ３，２３から発信させる。
【００２９】
次に、第１端末１００と第２端末２００とで同じ番組を視聴させる機能及び動作について、図２のフローチャートを参照しながら説明する。
【００３０】
このフローチャートは、例えば、第１端末１００のユーザＡの要求により、ユーザＡと第２端末２００のユーザＢとが同じＴＶ番組を視聴しながら会話（通話）する場合の第１端末１００及び第２端末２００の制御を示す。
【００３１】
ユーザＡが所望のＴＶ番組を視聴するため入力操作部９を操作すると、ＴＶアンテナ１がユーザＡの要求に応じたＴＶ波を受信して、これをＴＶ放送受信部２に入力する。ＴＶ放送受信部２は、受信したＴＶ波を復調／復号して映像信号と音声信号とＥＰＧ情報とを取り出す。映像信号は、表示出力制御部６を介して表示部１１で表示され、音声信号は、音声出力制御部７を介してスピーカー１２に送られる。ＥＰＧ情報は、端末制御部８に入力される。
【００３２】
ユーザＡがＴＶ番組をユーザＢと一緒に視聴しながら会話（通話）をしたいと考えた場合、ユーザＡは、第１端末１００のＴＶ受信を継続した状態のまま、通常の携帯電話発信手順に従って第１端末１００の入力操作部９を操作し、ユーザＢに対して発信を行う。
【００３３】
ユーザＡが第１端末１００の入力操作部９に対して発信操作を行い、これに応じてユーザＢが第２端末２００の入力操作部２９に対して受信操作を行うと、第１端末１００及び第２端末２００では、それぞれ端末制御部８，２８が携帯電話送受信部４，２４及び音声出力制御部７，２７を制御して、第１端末１００と第２端末２００とが通話状態となる。
【００３４】
続いて、ユーザＡは、入力操作部９に対してＴＶ番組を共有するための所定の操作（ＴＶ番組共有操作）を行う。
【００３５】
ステップＳ１において、ユーザＡからＴＶ番組共有要求を受けた第１端末１００では、端末制御部８は、取得したＥＰＧ情報から、共有したい番組を特定する情報（番組特定情報）を抽出する。共有したい番組は、例えばＴＶ番組共有操作を行った時に第１端末１００が受信している番組である。番組特定情報は、例えば番組を特定するために割り振られた固有の番号などである。端末制御部８は、携帯電話送受信部４を制御し、携帯電話アンテナ３を通じて、第２端末２００に対して、ＴＶ番組の共有が要求されたことを通知する信号（共有要求信号）と、ＥＰＧ情報から得た番組特定情報と、を送信する。
【００３６】
ステップＳ２において、第２端末２００では、携帯電話アンテナ２３が第１端末１００からの信号を受信する。携帯電話送受信部２４は、携帯電話アンテナ２３が受信した信号を復調／復号して、共有要求信号と番組特定情報とを取り出して端末制御部２８へ入力する。このとき、端末制御部２８は、表示出力制御部２６及び／又は音声出力制御部２７を制御し、表示部３１での表示及び／又はスピーカー３２からの音声によって、ユーザＢに対し、ユーザＡからＴＶ番組共有要求がされたことを知らせても良い。さらに、ユーザＢがユーザＡとのＴＶ番組の共有を拒否する場合には、入力操作部２９に対して所定の操作を行うことにより、第１端末１００に対してその旨を通知すると共に、これ以降の制御を行わないようにしても良い。また、端末制御部２８は、携帯電話送受信部２４を制御して、ＴＶ番組共有要求信号を受理したことを通知する信号（受理通知信号）を第１端末１００に対して返信しても良い。
【００３７】
ステップＳ３及びＳ４では、第２端末２００の端末制御部２８が、ＴＶ放送受信部２２を制御して、ＴＶアンテナ２１が受信したＴＶ波を復調／復号してＥＰＧ情報とを取り出す。そして、第１端末１００のユーザＡによって特定されたＴＶ番組を第２端末２００が受信可能かどうかを、第２端末２００の端末制御部２８が判断する。係る判断は、ＴＶアンテナ２１がＴＶ波を受信してＴＶ放送受信部２２がＥＰＧ情報を出力可能であること、第２端末２００が受信可能なＴＶ番組の中に番組特定情報で特定される番組が含まれている（第２端末２００が受信可能なＴＶ番組の中に第１端末１００が受信している番組と同じ内容の番組が含まれている）こと、及び番組特定情報で特定される番組を第２端末２００が実際に受信可能であること、という条件が全て満たされることが必要となる。第２端末２００が受信可能なＴＶ番組の中に番組特定情報で特定される番組が含まれているか否かの判断は、取り出したＥＰＧ情報と第１端末１００から送られてきた番組特定情報とを照合し、一致する番組を探すことにより行う。また、ＥＰＧ情報を受信可能であるかを判断した後に再度実際に受信可能であるかを判断するのは、ユーザＢが移動中であり電波環境が悪くなって受信できなくなる可能性があるためである。判断の結果、受信可能のときはステップＳ５に進み、受信不可能のときはステップＳ６に進む。
【００３８】
ステップＳ５では、端末制御部２８は、一致する番組のチャンネル周波数をＥＰＧ情報から取得し、ＴＶ放送受信部２２を制御してそのチャンネル周波数のＴＶ放送を受信し、表示出力制御部２６を制御して表示部３１にそのＴＶ番組の映像を表示し、音声出力制御部２７を制御してスピーカー３２からそのＴＶ番組の音声を放音する。端末制御部２８は、携帯電話送受信部２４を制御して、「ＴＶ放送受信により共有が可能である」旨を通知する信号（受信可能通知信号）を、携帯電話アンテナ２３から第１端末１００に発信する。
【００３９】
ステップＳ６では、一致する番組が存在しないため、端末制御部２８は、携帯電話送受信部２４を制御して、「ＴＶ放送受信が不可能であるためＴＶ番組の転送を要求する」旨を通知する信号（転送要求信号）を、携帯電話アンテナ２３から第１端末１００に発信した後、第１端末１００からのＴＶ電話着信を待つ。
【００４０】
ステップＳ７において、第１端末１００では、第２端末２００からの受信可能通知信号又は転送要求信号の何れか一方が、携帯電話アンテナ３及び携帯電話送受信部４を通じて端末制御部８に入力される。そして、受信可能通知信号を受信したときはステップＳ８へ進み、転送要求信号を受信したときはステップＳ９へ進む。
【００４１】
受信可能通知信号を受信したときには（ステップＳ８では）、端末制御部８は、表示出力制御部６及び／又は音声出力制御部７を制御し、表示部１１での表示及び／又はスピーカー１２からの音声によって、ユーザＡに対し、ＴＶ番組共有が完了したこと、すなわち第２端末２００でも第１端末１００と同じＴＶ番組が提供されていることを知らせる。
【００４２】
転送要求信号を受信したときには（ステップＳ９では）、端末制御部８は、携帯電話送受信部４を制御して、第２端末２００に対してＴＶ電話開始信号を発信する。
【００４３】
ステップＳ１０において、第２端末２００では、携帯電話送受信部２４が第１端末１００からのＴＶ電話開始信号を受信すると、端末制御部２８は、携帯電話送受信部２４とＴＶ電話信号処理部２５と表示出力制御部２６と音声出力制御部２７とを制御して、第２端末２００をＴＶ電話通話状態に設定する。
【００４４】
ステップＳ１１において、第１端末１００では、端末制御部８は、携帯電話送受信部４を制御して、第２端末２００に対してＴＶ電話信号を発信する。ＴＶ電話信号は、ＴＶ放送受信部２から出力される映像信号と音声信号とに基づいて、端末制御部８の制御によってＴＶ電話信号処理部５が生成する。このとき、音声に関しては、ＴＶ放送受信部２から出力される音声信号とマイク１４から入力される音声信号とが合成される。すなわち、ＴＶ電話信号処理部５は、ＴＶ放送受信部２から出力される映像信号を出力映像とし、ＴＶ放送受信部２から出力される音声信号とマイク１４から入力される音声信号とをミックスした音声信号を出力音声とするＴＶ電話信号を生成し、このＴＶ電話信号が第２端末２００に発信される。このように音声信号を合成することにより、音声のみによる通常の電話回線を閉じてもＴＶ電話によって通話を行うことができ、通信コストを低く抑えることが可能なためである。従って、端末制御部８は、ＴＶ信号の発信と同時に、音声のみによる通常の電話回線を閉じる。
【００４５】
ステップＳ１２において、第２端末２００では、携帯電話送受信部２４が第１端末１００からのＴＶ電話信号を受信し、ＴＶ電話信号処理部２５がＴＶ電話信号から映像信号及び音声信号を取り出して表示出力制御部２６及び音声出力制御部２７へそれぞれ送出する。これらの映像信号及び音声信号に基づいて、表示出力制御部２６は表示部３１に映像を表示し、音声出力制御部２７はスピーカー３２から放音する。
【００４６】
以上の処理が全て終了すると、最終的にステップＳ８及びステップＳ１３に進み、第１端末１００と第２端末２００の間でＴＶ番組の共有が完了する。なお、ユーザＡ又はユーザＢが入力操作部９，２９に対して所定の解除操作を行うことにより、ＴＶ番組の共有状態は解除される。
【００４７】
このように本実施形態によれば、例えば、第１端末１００を使用してＴＶ放送番組を視聴しているユーザＡが、第２端末２００を使用するユーザＢと同じＴＶ放送番組を共有しながら会話しようとする場合、ユーザＡは、第１端末１００を操作し、ＴＶ放送受信部２が出力する放送番組に関するデータ情報のうち指定された番組（視聴又は聴いている番組）に関する番組特定情報を、携帯電話送受信部４から発信する。ユーザＢ側では、第２端末２００のＴＶ放送受信部２２が、第１端末１００から受信した番組特定情報に対応した番組の情報信号を出力する。すなわち、ユーザＢは、第２端末２００を操作して選局することなく、ユーザＡと同じ番組を独自に受信することができる。従って、ユーザＡは、自分が受信しているＴＶ放送番組を通信相手であるユーザＢと容易且つ安価に共有することができる。
【００４８】
第２端末２００の端末制御部２８は、ユーザＢが受信可能な放送番組の中に、ユーザＡが受信している番組と同じ内容の番組が存在するか否かを判断し、存在する場合には、その番組のチャンネル周波数を特定して出力する。ＴＶ放送受信部２２は、特定されたチャンネル周波数の情報信号を出力する。従って、ユーザＡの放送受信地域とユーザＢの放送受信地域とが異なる場合であっても、ユーザＡとユーザＢとは、同じ放送番組を容易且つ安価に共有することができる。
【００４９】
第２端末２００の端末制御部２８がユーザＢにより受信可能な放送番組の中にユーザＡが受信している番組と同じ内容の番組が存在しないと判断したとき、ユーザＡが受信している番組の映像信号と音声信号に基づくＴＶ電話信号が第１端末１００から第２端末２００へ発信され、第２端末２００は第１端末１００からのＴＶ電話信号に基づいて第１端末１００と同じ番組をユーザＢへ提供する。従って、放送受信地域の相違からユーザＢがユーザＡと同じ内容の番組をＴＶ放送電波信号から取得できない場合であっても、ユーザＡとユーザＢとは、同じ放送番組を容易に共有することができる。
【００５０】
［第２の実施の形態］
第２の実施の形態は、第２端末２００が受信可能なＴＶ番組の中に第１端末１００が受信している番組と同じ内容の番組が含まれているか否かの判断を第１端末１００側で行う点で、係る判断を第２第端末２００側で行う第１の実施の形態と相違する。なお、第１の実施の形態と同様の構成については、その説明を省略し、相違する部分について主に説明する。
【００５１】
すなわち、第２の実施の形態では、第２端末２００の端末制御部２８が判断手段として機能する。
【００５２】
第１の実施の形態と同様に、第１端末１００と第２端末２００とで同じ番組を視聴させる機能及び動作について、図３のフローチャートを参照しながら説明する。
【００５３】
ユーザＡが所望のＴＶ番組を視聴するため入力操作部９を操作すると、ＴＶ放送受信部２は、ユーザＡの要求に応じて受信したＴＶ波を復調／復号して映像信号と音声信号とＥＰＧ情報とを取り出す。映像信号は、表示出力制御部６を介して表示部１１で表示され、音声信号は、音声出力制御部７を介してスピーカー１２に送られる。ＥＰＧ情報は、端末制御部８に入力される。
【００５４】
ユーザＡがＴＶ番組をユーザＢと共有したいと考えた場合、ユーザＡは、第１端末１００のＴＶ受信を継続した状態のまま、通常の携帯電話発信手順に従って第１端末１００の入力操作部９を操作し、ユーザＢに対して発信を行う。
【００５５】
ユーザＡが第１端末１００の入力操作部９に対して発信操作を行い、これに応じてユーザＢが第２端末２００の入力操作部２９に対して受信操作を行うと、第１端末１００及び第２端末２００では、それぞれ端末制御部８，２８が携帯電話送受信部４，２４及び音声出力制御部７，２７を制御して、第１端末１００と第２端末２００とが通話状態となる。
【００５６】
続いて、ユーザＡは、入力操作部９に対してＴＶ番組を共有するための所定の操作（ＴＶ番組共有操作）を行う。
【００５７】
ステップＳ２１において、ユーザＡからＴＶ番組共有要求を受けた第１端末１００では、端末制御部８は、取得したＥＰＧ情報から、共有したい番組を特定する情報（番組特定情報）を抽出する。端末制御部８は、携帯電話送受信部４を制御し、携帯電話アンテナ３を通じて、第２端末２００に対して共有要求信号と、ＥＰＧ情報から得た番組特定情報と、を送信する。
【００５８】
ステップＳ２２において、第２端末２００では、携帯電話アンテナ２３が第１端末１００からの信号を受信して、ステップＳ２３に進む。
【００５９】
ステップＳ２３では、端末制御部２８は、携帯電話送受信部２４を制御して、ＴＶ番組共有要求信号を受理したことを通知する信号（受理通知信号）を第１端末１００に対して返信する。
【００６０】
次に、ステップＳ２４において、第２端末２００からの受理通知信号を受信した第１端末１００は、第２端末２００からのＥＰＧ情報の受信を待ち受ける待機状態（ＥＰＧ待ち状態）となる。
【００６１】
ステップＳ２５において、第２端末２００の端末制御部２８は、ＴＶアンテナ２１がＴＶ波を受信してＴＶ放送受信部２２がＥＰＧ情報を出力可能であるかどうかを判断する。ＴＶ波を受信可能のときはステップＳ２６に進み、不可能のときはステップＳ３３に進む。
【００６２】
ステップＳ２６では、第２端末２００の端末制御部２８は、携帯電話送受信部２４を制御して、取得したＥＰＧ情報を第１端末１００に対して発信する。
【００６３】
ステップＳ２７及びステップＳ２８において、第１端末１００の端末制御部８は、第２端末２００が受信可能なＴＶ番組の中に番組特定情報で特定される番組が含まれている（第２端末２００が受信可能なＴＶ番組の中に第１端末１００が受信している番組と同じ内容の番組が含まれている）かどうかを判断する。すなわち、第２端末２００から送信されたＥＰＧ情報と第１端末１００が取得した番組特定情報とを照合し、一致する番組を探す。判断の結果、一致する番組が存在するときはステップＳ２９に進み、存在しないときはステップＳ３３に進む。
【００６４】
ステップＳ２９では、第１端末１００の端末制御部８は、携帯電話送受信部４を制御して、照合により一致した番組の受信を要求する信号（指定番組受信要求信号）を第２端末２００に対して発信する。
【００６５】
ステップＳ３０において、第２端末２００の端末制御部２８は、指定番組受信要求信号を受信したかどうかを判断する。受信しているときはステップＳ３１に進み、受信していないときはステップＳ３４に進む。
【００６６】
ステップＳ３１では、端末制御部２８は、一致する番組のチャンネル周波数をＥＰＧ情報から取得し、そのチャンネル周波数の番組を第２端末２００が実際に受信可能であるかどうかを判断する。ユーザＢが移動中であり電波環境が悪くなって受信できなくなる可能性があるためである。受信可能のときはステップＳ３２に進み、受信不可能のときはステップＳ３３に進む。
【００６７】
ステップＳ３２において、第２端末２００の端末制御部２８は、ステップＳ３１から継続してＴＶ放送を受信し、表示出力制御部２６を制御して表示部３１にそのＴＶ番組の映像を表示し、音声出力制御部２７を制御してスピーカー３２からそのＴＶ番組の音声を放音する。
【００６８】
ステップＳ３３では、第１端末１００のユーザＡによって特定されたＴＶ番組を第２端末２００が受信不可能と判断されているので、第１端末１００の端末制御部８は、携帯電話送受信部４を制御して、第２端末２００に対してＴＶ電話開始信号を発信する。
【００６９】
ステップＳ３４において、第２端末２００では、携帯電話送受信部２４が第１端末１００からのＴＶ電話開始信号を受信すると、端末制御部２８は、携帯電話送受信部２４とＴＶ電話信号処理部２５と表示出力制御部２６と音声出力制御部２７とを制御して、第２端末２００をＴＶ電話通話状態に設定する。
【００７０】
ステップＳ３５において、第１端末１００では、端末制御部８は、携帯電話送受信部４を制御して、第２端末２００に対してＴＶ電話信号を発信（ＴＶ番号を転送）する。
【００７１】
ステップＳ３６において、第２端末２００では、携帯電話送受信部２４が第１端末１００からのＴＶ電話信号（ＴＶ番組）を受信し、ＴＶ電話信号処理部２５がＴＶ電話信号から映像信号及び音声信号を取り出して表示出力制御部２６及び音声出力制御部２７へそれぞれ送出する。これらの映像信号及び音声信号に基づいて、表示出力制御部２６は表示部３１に映像を表示し、音声出力制御部２７はスピーカー３２から放音する。
【００７２】
以上の処理が全て終了すると、最終的にステップＳ３７及びステップＳ３８に進み、第１端末１００と第２端末２００の間でＴＶ番組の共有が完了する。
【００７３】
本実施の形態によれば、第１の実施の形態と同様に、ユーザＡは、自分が受信しているＴＶ放送番組を通信相手であるユーザＢと容易且つ安価に共有することができる。
【００７４】
また、番組の共有を要求するユーザＡの第１端末１００側で、ユーザＢの第２端末２００が同じ番組を受信可能か否かの判断をするので、被要求者であるユーザＢの第２端末２００への負担の増大が低減される。
【００７５】
以上、本発明を適用した具体的な実施の形態について説明したが、本発明は上述の実施の形態に制限されることなく種々の変更が可能である。
【００７６】
例えば、放送電波信号がラジオ電波であり、受信したラジオ番組を通話相手と共有しても良い。また、ＴＶ番組がインターネットなどのネットワーク上で放送されている場合であっても良い。
【００７７】
【発明の効果】
本発明によれば、放送受信機能を有する携帯通信端末同士の通信において、受信中の放送番組を通信相手と容易且つ安価に共有することができる。
【図面の簡単な説明】
【図１】第１の実施の形態のブロック構成図である。
【図２】第１の実施の形態の制御を示すフローチャートである。
【図３】第２の実施の形態の制御を示すフローチャートである。
【符号の説明】
２，２２…ＴＶ放送受信部
４，２４…携帯電話送受信部
５，２５…ＴＶ電話信号処理部
６，２６…表示出力制御部
７，２７…音声出力制御部
８，２８…端末制御部
９，２９…入力操作部
【図１】
2004343427.tif 000003
【図２】
2004343427.tif 000004
【図３】
2004343427.tif 000005